【事件の表示】
　特許第３１２８５４５号「洗浄剤組成物」の請求項１、２に係る特許に対する特許異議の申立てについて、次のとおり決定する。
【結　論】
　訂正を認める。
　特許第３１２８５４５号の請求項１ないし２に係る特許を維持する。
【理　由】
１．手続の経緯
　
　特許第３１２８５４５号の請求項１〜２に係る発明の出願は、平成１０年１１月２５日に特許出願され、平成１２年１１月１０日にその特許権の設定登録がなされ、その後、特許異議申立人日本香料工業会、平井薫より特許異議の申立てがなされ（特許異議申立人平井薫による特許異議の申立ては、平成１４年１月２９日付けで却下された。）、取消しの理由が通知され、その指定期間内である平成１４年９月３０日に訂正請求がなされ、さらに、再度の取消しの理由が通知され、その指定期間内である平成１４年１２月２０日に訂正請求がなされるとともに、元の訂正請求が取り下げられたものである。
　
２．訂正の適否についての判断
　
（１）訂正の内容
　
　特許権者が求めている訂正の内容は、以下の、ａ〜ｃのとおりである。
　
訂正事項ａ
　特許請求の範囲の請求項１の
「【請求項１】 界面活性剤０．１〜６０重量％と、（ａ）２５℃における蒸気圧が６．６７Ｐａ以上の香料成分と、（ｂ）２５℃における蒸気圧が０．６７Ｐａ以上６．６７Ｐａ未満の香料成分と、（ｃ）２−メチル−２，４−ジヒドロキシブタン、２−メチル−２，４−ジヒドロキシペンタン、２，４−ジヒドロキシブタン、ジプロピレングリコール及びトリプロピレングリコールから選ばれる一種以上の化合物とを、（ｂ）成分に対する（ａ）成分の重量比で０〜６、且つ、（ａ）成分と（ｂ）成分の総和に対する（ｃ）成分の重量比で０．０１〜２の割合で含有し、（ａ）成分と（ｂ）成分の総和が０．０１〜５重量％である洗浄剤組成物。」を
「【請求項１】 界面活性剤０．１〜６０重量％と、（ａ）２５℃における蒸気圧が６．６７Ｐａ以上の香料成分と、（ｂ）２５℃における蒸気圧が０．６７Ｐａ以上６．６７Ｐａ未満の香料成分と、（ｃ）２−メチル−２，４−ジヒドロキシブタン、２−メチル−２，４−ジヒドロキシペンタン、２，４−ジヒドロキシブタン及びトリプロピレングリコールから選ばれる一種以上の化合物とを、（ｂ）成分に対する（ａ）成分の重量比で０〜６、且つ、（ａ）成分と（ｂ）成分の総和に対する（ｃ）成分の重量比で０．１〜１の割合で含有し、（ａ）成分と（ｂ）成分の総和が０．０１〜５重量％である洗浄剤組成物。」に訂正する。
訂正事項ｂ
　特許請求の範囲の請求項２の
「【請求項２】 漂白基剤０．１〜８０重量％と、界面活性剤０．１〜６０重量％と、（ａ）２５℃における蒸気圧が６．６７Ｐａ以上の香料成分と、（ｂ）２５℃における蒸気圧が０．６７Ｐａ以上６．６７Ｐａ未満の香料成分と、（ｃ）２−メチル−２，４−ジヒドロキシブタン、２−メチル−２，４−ジヒドロキシペンタン、２，４−ジヒドロキシブタン、ジプロピレングリコール及びトリプロピレングリコールから選ばれる一種以上の化合物とを、（ｂ）成分に対する（ａ）成分の重量比で０〜６、且つ、（ａ）成分と（ｂ）成分の総和に対する（ｃ）成分の重量比で０．０１〜２の割合で含有し、（ａ）成分と（ｂ）成分の総和が０．０１〜５重量％である漂白剤組成物。」を
「【請求項２】 漂白基剤０．１〜８０重量％と、界面活性剤０．１〜６０重量％と、（ａ）２５℃における蒸気圧が６．６７Ｐａ以上の香料成分と、（ｂ）２５℃における蒸気圧が０．６７Ｐａ以上６．６７Ｐａ未満の香料成分と、（ｃ）２−メチル−２，４−ジヒドロキシブタン、２−メチル−２，４−ジヒドロキシペンタン、２，４−ジヒドロキシブタン及びトリプロピレングリコールから選ばれる一種以上の化合物とを、（ｂ）成分に対する（ａ）成分の重量比で０〜６、且つ、（ａ）成分と（ｂ）成分の総和に対する（ｃ）成分の重量比で０．１〜１の割合で含有し、（ａ）成分と（ｂ）成分の総和が０．０１〜５重量％である漂白剤組成物。」に訂正する。
訂正事項ｃ
　発明の詳細な説明の記載について、段落【００２１】の
「次に、上記造粒物を１．４ｍｍの目開きの篩で篩分けし、篩上の粗大粒子で粉砕し、篩通過物と混合した。」を
「次に、上記造粒物を１．４ｍｍの目開きの篩で篩分けし、篩上の粗大粒子を粉砕し、篩通過物と混合した。」に訂正する。
　
（２）訂正の目的の適否、新規事項の追加の有無及び特許請求の範囲の実質上の拡張・変更の存否
　
　訂正事項ａ、ｂは、請求項１、２に記載の（ｃ）成分の化合物から、それぞれ「ジプロピレングリコール」を削除し、且つ（ａ）成分と（ｂ）成分の総和に対する（ｃ）成分の重量比を、それぞれ「０．０１〜２」から「０．１〜１」に訂正するものであるから、いずれも、特許請求の範囲の減縮を目的とした明細書の訂正に該当し、また、上記重量比の訂正は、特許明細書の段落【０００９】の記載に基づくものであって、新規事項の追加に該当せず、また、実質上特許請求の範囲を拡張し、又は変更するものではない。
　訂正事項ｃは、誤記の訂正を目的とした明細書の訂正に該当するものであって、新規事項の追加に該当せず、また、実質上特許請求の範囲を拡張し、又は変更するものではない。
　
（３）むすび
　
　以上のとおりであるから、上記訂正は、特許法第１２０条の４第２項及び同条第３項において準用する特許法第１２６条第２項及び第３項の規定に適合するので、当該訂正を認める。
　
３．特許異議申立てについての判断
　
（１）異議申立ての理由の概要　
　
　特許異議申立人日本香料工業会は、証拠として、本件出願前に頒布されたことが明らかな刊行物である甲第１〜８号証、及び、参考資料１〜６を提出し、訂正前の本件請求項１、２に係る発明は、甲第１〜４号証にそれぞれ記載された発明であるから、特許法第２９条第１項第３号に該当し特許を受けることができず、同請求項１、２に係る発明は、甲第１、３、５〜８号証に記載された発明に基いて当業者が容易に発明をすることができたものであるから、特許法第２９条第２項の規定により特許を受けることができず、さらに、本件特許は特許法第３６条第４、６項に規定する要件を満たしていない特許出願に対してなされたものであり、したがって、訂正前の本件請求項１、２に係る発明の特許は取り消されるべき旨、主張している。
　
　特許異議申立人の提出した甲号証等は以下のとおりである。
　　甲第１号証：特開平５−１９４９８９号公報
　　　　　　　　　　（以下「刊行物１」という）
　　甲第２号証：特開平６−１４５６９６号公報　　
　　　　　　　　　　（以下「刊行物２」という）
　　甲第３号証：特許庁公報１０（１９９８）−２５［７１５９］
　　　　　　　　周知・慣用技術集（衣料用粉末洗剤）、
　　　　　　　　（日本国特許庁、平成１０年３月２６日発行）、
　　　　　　　　３４〜３５頁、４０頁〜４７頁
　　　　　　　　　　（以下「刊行物３」という）
　　甲第４号証：特開平４−２５７５７２号公報　　
　　　　　　　　　　（以下「刊行物４」という）
　　甲第５号証：特開平４−３６８３５２号公報　　
　　　　　　　　　　（以下「刊行物５」という）
　　甲第６号証：特開平６−１９２６８０号公報　　
　　　　　　　　　　（以下「刊行物６」という）
　　甲第７号証：特開平５−２４６９１７号公報　　
　　　　　　　　　　（以下「刊行物７」という）
　　甲第８号証：中島基貴編著、「香料と調香の基礎知識」、
　　　　　　　　産業図書株式会社、１９９５年６月２１日発行、
　　　　　　　　９１〜９２頁　　　　　　　　
　　　　　　　　　　（以下「刊行物８」という）
　
　　参考資料１：大木道則外３名編、「化学大辞典」、
　　　　　　　　株式会社東京化学同人、１９８９年１０月２０日発行、
　　　　　　　　１１６７頁、「水銀柱ミリメートル」の項
　　　　　　　　　　（以下「参考資料１」という）
　　参考資料２：American Perfumer and Cosmetics, 
　　　　　　　　　　Vol.79, January, (1964)，p.25-33;
　　　　　　　　　　Vol.79, February, (1964)，p.43-48;
　　　　　　　　　　Vol.79, May, (1964)，p.29-41;
　　　　　　　　　　Vol.79, November, (1964)，p.25-39;
　　　　　　　　　　Vol.82, November, (1967)，p.35-39;
　　　　　　　　　　Vol.83, November, (1968)，p.37-47;
　　　　　　　　　　Vol.84, February, (1969)，p.53-56;
　　　　　　　　　　Vol.84, March, (1969)，p.45-50;
　　　　　　　　　　Vol.84, August, (1969)，p.41-46;
　　　　　　　　　　Vol.85, October, (1970)，p.49-54
　　　　　　　　　　（以下「参考資料２」という）
　　参考資料３：赤星亮一著、「香料の化学」、大日本図書株式会社、
　　　　　　　　昭和５８年９月１６日発行、６０頁、６２〜６７頁　
　　　　　　　　　　（以下「参考資料３」という）
　　参考資料４：香料、Ｎｏ．９７、１９７０年１２月、１７〜２４頁
　　　　　　　　　　（以下「参考資料４」という）
　　参考資料５：印藤元一著、「香料の実際知識（第２版）」、
　　　　　　　　東洋経済新報社、昭和６０年７月１１日発行、
　　　　　　　　１９６〜１９７頁　
　　　　　　　　　　（以下「参考資料５」という）
　　参考資料６：藤巻正生外３名編、「香料の事典」、株式会社朝倉書店、
　　　　　　　　１９８０年８月２７日発行、７８〜８３頁　　
　　　　　　　　　　（以下「参考資料６」という）
　
（２）当審の通知した取消しの理由の概要
　
　当審が平成１４年７月１８日付けで通知した取消しの理由は、訂正前の本件の請求項１に係る発明は、刊行物１〜４、９に記載された発明であり、また、同請求項２に係る発明は、刊行物１、２に記載された発明であるから、これらの発明は特許法第２９条第１項の規定に違反してなされたものであり、訂正前の本件の請求項１に係る発明は、刊行物５〜８に記載された発明に基いて当業者が容易に発明をすることができたものであり、同請求項２に係る発明は、刊行物１、３〜９に記載された発明に基いて当業者が容易に発明をすることができたものであるから、これらの発明は特許法第２９条第２項の規定に違反してなされたものであり、さらに、本件特許は特許法第３６条第４、６項に規定する要件を満たしていない特許出願に対してなされたものであり、したがって、訂正前の本件請求項１、２に係る発明の特許は取り消されるべきである、というものである。
　また、当審が平成１４年１２月１６日付けで通知した取消しの理由は、訂正前の特許明細書の記載に不備があり、本件特許は特許法第３６条第４、６項に規定する要件を満たしていない特許出願に対してなされたものであるから、訂正前の本件の請求項１、２に係る発明の特許は取り消されるべきである、というものである。
　
　ここで、「刊行物９」とは、以下のとおりである。
　　刊行物９：特開平９−１８３９９５号公報
　　　　　　　
（３）本件発明
　
　２．（３）に示したように上記訂正が認められるから、本件の請求項１、２に係る発明（以下、「本件発明１、２」という。）は、上記訂正請求に係る訂正明細書の特許請求の範囲の請求項１、２に記載された、次のとおりのものである。
　
「【請求項１】 界面活性剤０．１〜６０重量％と、（ａ）２５℃における蒸気圧が６．６７Ｐａ以上の香料成分と、（ｂ）２５℃における蒸気圧が０．６７Ｐａ以上６．６７Ｐａ未満の香料成分と、（ｃ）２−メチル−２，４−ジヒドロキシブタン、２−メチル−２，４−ジヒドロキシペンタン、２，４−ジヒドロキシブタン及びトリプロピレングリコールから選ばれる一種以上の化合物とを、（ｂ）成分に対する（ａ）成分の重量比で０〜６、且つ、（ａ）成分と（ｂ）成分の総和に対する（ｃ）成分の重量比で０．１〜１の割合で含有し、（ａ）成分と（ｂ）成分の総和が０．０１〜５重量％である洗浄剤組成物。
【請求項２】 漂白基剤０．１〜８０重量％と、界面活性剤０．１〜６０重量％と、（ａ）２５℃における蒸気圧が６．６７Ｐａ以上の香料成分と、（ｂ）２５℃における蒸気圧が０．６７Ｐａ以上６．６７Ｐａ未満の香料成分と、（ｃ）２−メチル−２，４−ジヒドロキシブタン、２−メチル−２，４−ジヒドロキシペンタン、２，４−ジヒドロキシブタン及びトリプロピレングリコールから選ばれる一種以上の化合物とを、（ｂ）成分に対する（ａ）成分の重量比で０〜６、且つ、（ａ）成分と（ｂ）成分の総和に対する（ｃ）成分の重量比で０．１〜１の割合で含有し、（ａ）成分と（ｂ）成分の総和が０．０１〜５重量％である漂白剤組成物。」
　
（４）刊行物等に記載の事項
　
　刊行物１には、界面活性剤、本件の特許請求の範囲の請求項１で特定する（ａ）成分である香料成分（以下、「（ａ）成分」という。）、同（ｂ）成分である香料成分（以下、「（ｂ）成分」という。）、とともにジプロピレングリコールを含む洗浄剤組成物、漂白剤組成物が記載されている。
　刊行物２には、界面活性剤、（ａ）成分、（ｂ）成分、とともにジプロピレングリコールを含む漂白剤組成物が記載されている。
　刊行物３には、衣料用粉末洗剤用香料処方として（ａ）成分、（ｂ）成分を含むもの、また、香料の溶剤または保留剤としてジプロピレングリコールが使用される旨、記載されている。
　刊行物４には、新規な有香成分が記載され、化粧品用の調合として、（ａ）成分と（ｂ）成分とジプロピレングリコールを配合したものが石けん用基剤中に用いられる旨、記載されている。
　刊行物５には、デカリンケトン化合物が記載され、粉末洗剤のための香料組成物として、（ａ）成分、（ｂ）成分、ジプロピレングリコールを含有するものが記載されている。
　刊行物６には、（ａ）成分、（ｂ）成分、ジプロピレングリコールを含有する香料組成物が記載され、これらが、洗浄剤等に使用される旨、記載されている。
　刊行物７には、新規有香物質が記載され、たとえば石けん用の有香組成物として、（ａ）成分、（ｂ）成分、ジプロピレングリコールを含有するものが記載されている。
　刊行物８には、各種トイレタリー製品、化粧品に対する賦香率が記載されている。
　刊行物９には、香料の劣化を防ぎ、香り立ちを安定に保持した香料組成物が記載され、（ａ）成分、（ｂ）成分、ジプロピレングリコールを含有するものが記載されている。
　また、参考資料１には、１ｍｍＨｇが約１３３．３２２Ｐａである旨、記載され、参考資料２、３には、香料成分の蒸気圧が例示され、さらに、参考資料４〜６には、香料成分のトップノートとミドルノートが例示されている。
　
（５）特許法第２９条第１項及び第２項違反について
　
　上記刊行物１〜９には、本件発明１及び２の発明特定事項である、香料成分と共に「（ｃ）２−メチル−２，４−ジヒドロキシブタン、２−メチル−２，４−ジヒドロキシペンタン、２，４−ジヒドロキシブタン及びトリプロピレングリコールから選ばれる一種以上の化合物」を用いる点については、記載も示唆もされておらず、香料成分と共にこのような化合物を用いることは自明な事項でもない。
　したがって、本件発明１、２は、上記刊行物１〜４（甲第１〜４号証）、あるいは刊行物９に記載された発明ではない。
　また、本件発明１、２は、上記の点を発明特定事項とし、界面活性剤、香料成分とともに、特定重量割合で含有することにより、匂い立ちの優れた洗浄剤組成物及び漂白剤組成物が得られる、という、明細書に記載の格別の効果を奏するものと認められる。
　したがって、本件発明１、２は、刊行物１（甲第１号証）、刊行物３〜８（甲第３〜８号証）、刊行物９に記載された発明に基いて当業者が容易に発明をすることができたものではない。
　
（６）特許法第３６条違反について
　
　当審の通知した取消しの具体的理由は、（１）本件発明１、２の発明特定事項である（ａ）成分及び（ｂ）成分が、２５℃における蒸気圧で特定されており、その定義が不明確であること、（２）明細書の段落【００２１】に誤記があること、の２点であるところ、（１）については、平成１４年９月３０日付け特許異議意見書において、「香料成分の大部分は親油性の有機化合物であり、また、天然香料の主成分はほとんど同定されており、その蒸気圧を測定し、（ａ）成分、（ｂ）成分の何れに該当するかを判定することは当業者にとって過度の負担を強いるものではない」旨の説明がなされることによって、取消しの理由は解消し、また、（２）については、平成１４年１２月２０日付けの訂正請求書により、訂正され、取消しの理由は解消された。
　なお、特許異議申立人による特許法第３６条に関する主張は、上記（１）の理由に同じである。
　したがって、本件明細書の記載に不備はない。
　
（７）結論
　
　したがって、本件発明１、２についての特許は、特許法第２９条第１項に違反してされたものでも同法第２９条第２項の規定に違反してされたものでもなく、また、本件発明１、２についての特許は同法第３６条に規定する要件を満たしていない特許出願に対してされたものでもない。
　
４．むすび
　
　以上のとおりであるから、特許異議申立ての理由及び証拠によっては、本件発明１、２についての特許を取り消すことはできない。
　また、他に本件発明１、２についての特許を取り消すべき理由を発見しない。
　よって、結論のとおり決定する。
【異議決定日】
平成１５年１月１５日（２００３．１．１５）
【訂正の要旨】
▲１▼訂正事項ａ
　特許請求の範囲の請求項１に係る記載
「　【請求項１】　界面活性剤０．１〜６０重量％と、（ａ）２５℃における蒸気圧が６．６７Ｐａ以上の香料成分と、（ｂ）２５℃における蒸気圧が０．６７Ｐａ以上６．６７Ｐａ未満の香料成分と、（ｃ）２−メチル−２，４−ジヒドロキシブタン、２−メチル−２，４−ジヒドロキシペンタン、２，４−ジヒドロキシブタン、ジプロピレングリコール及びトリプロピレングリコールから選ばれる一種以上の化合物とを、（ｂ）成分に対する（ａ）成分の重量比で０〜６、且つ、（ａ）成分と（ｂ）成分の総和に対する（ｃ）成分の重量比で０．０１〜２の割合で含有し、（ａ）成分と（ｂ）成分の総和が０．０１〜５重量％である洗浄剤組成物。」
を、
「　【請求項１】　界面活性剤０．１〜６０重量％と、（ａ）２５℃における蒸気圧が６．６７Ｐａ以上の香料成分と、（ｂ）２５℃における蒸気圧が０．６７Ｐａ以上６．６７Ｐａ未満の香料成分と、（ｃ）２−メチル−２，４−ジヒドロキシブタン、２−メチル−２，４−ジヒドロキシペンタン、２，４−ジヒドロキシブタ
ン及
０．１〜１
と訂正する（下線部が訂正個所）。
▲２▼訂正事項ｂ
　特許請求の範囲の請求項２に係る記載
「　【請求項２】　漂白基剤０．１〜８０重量％と、界面活性剤０．１〜６０重量％と、（ａ）２５℃における蒸気圧が６．６７Ｐａ以上の香料成分と、（ｂ）２５℃における蒸気圧が０．６７Ｐａ以上６．６７Ｐａ未満の香料成分と、（ｃ）２−メチル−２，４−ジヒドロキシブタン、２−メチル−２，４−ジヒドロキシペンタン、２，４−ジヒドロキシブタン、ジプロピレングリコール及びトリプロピレングリコールから選ばれる一種以上の化合物とを、（ｂ）成分に対する（ａ）成分の重量比で０〜６、且つ、（ａ）成分と（ｂ）成分の総和に対する（ｃ）成分の重量比で０．０１〜２の割合で含有し、（ａ）成分と（ｂ）成分の総和が０．０１〜５重量％である漂白剤組成物。」
を
「　【請求項２】　漂白基剤０．１〜８０重量％と、界面活性剤０．１〜６０重量％と、（ａ）２５℃における蒸気圧が６．６７Ｐａ以上の香料成分と、（ｂ）２５℃における蒸気圧が０．６７Ｐａ以上６．６７Ｐａ未満の香料成分と、（ｃ）２−メチル−２，４−ジヒドロキシブタン、２−メチル−２，４−ジヒドロキシペンタン、２，４−ジヒドロキシブタ
ン及
０．１〜１
と訂正する（下線部が訂正個所）。
▲３▼訂正事項ｃ
　明細書の【００２１】に係る記載
「〔ＩＩ〕組成物の調製及び評価
（１）粉末洗浄剤組成物
（１−１）粉末洗浄剤組成物Ａ
　直鎖アルキル（炭素数１０〜１３）ベンゼンスルホン酸ナトリウム２３重量部、アルキル（炭素数１２〜１６）硫酸ナトリウム５重量部、非イオン界面活性剤（ラウリルアルコールを９８％以上含有する高級アルコールのオキシエチレン平均６モル付加物）３．５重量部、石鹸（炭素数１４〜２０）４重量部、４Ａ型ゼオライト１１重量部、１号珪酸ナトリウム（Ｎａ２Ｏ／ＳｉＯ２＝２．１５）７重量部、炭酸ナトリウム（デンス灰）１０重量部、炭酸カリウム４重量部、硫酸ナトリウム６．５重量部、アクリル酸／マレイン酸共重合物（モノマー比３：７、分子量５万）５重量部と水を混合して固形分４８％の洗剤スラリーを調製した（温度６５℃）。該スラリーを向流式噴霧乾燥装置で噴霧乾燥した（揮発分６％）。該噴霧乾燥物８０．５重量部と結晶性アルミノ珪酸塩（４Ａ型ゼオライト、平均粒子径２．７μｍ）２重量部とをまず混合した上で、結晶性層状珪酸塩（ＳＫＳ−６（粉末）の粉砕物、平均粒径２７μｍ）５重量部と共にハイスピードミキサー（ＦＳ−ＧＣ−１０型；深江工業（株）製）に投入して、噴霧乾燥物を破砕し攪拌造粒した。その際に上記非イオン界面活性剤２．５重量部をスプレー噴霧した。造粒終了６０秒前に上記ゼオライトを５重量部加え表面被覆を行った。次に、上記造粒物を１．４ｍｍの目開きの篩で篩分けし、篩上の粗大粒子で粉砕し、篩通過物と混合した。その後、上記ゼオライト４重量部をＶブレンダーで混合し、さらに酵素造粒物（サビナーゼ１８．０ＴｔｙｐｅＷ；ノボ社製）１重量部を添加し、粉末洗浄剤組成物Ａを得た。嵩密度０．７５〜０．７９／ｃｍ３、平均粒径が３５０〜４００μｍであった。」
を
「〔ＩＩ〕組成物の調製及び評価
（１）粉末洗浄剤組成物
（１−１）粉末洗浄剤組成物Ａ
　直鎖アルキル（炭素数１０〜１３）ベンゼンスルホン酸ナトリウム２３重量部、アルキル（炭素数１２〜１６）硫酸ナトリウム５重量部、非イオン界面活性剤（ラウリルアルコールを９８％以上含有する高級アルコールのオキシエチレン平均６モル付加物）３．５重量部、石鹸（炭素数１４〜２０）４重量部、４Ａ型ゼオライト１１重量部、１号珪酸ナトリウム（Ｎａ２Ｏ／ＳｉＯ２＝２．１５）７重量部、炭酸ナトリウム（デンス灰）１０重量部、炭酸カリウム４重量部、硫酸ナトリウム６．５重量部、アクリル酸／マレイン酸共重合物（モノマー比３：７、分子量５万）５重量部と水を混合して固形分４８％の洗剤スラリーを調製した（温度６５℃）。該スラリーを向流式噴霧乾燥装置で噴霧乾燥した（揮発分６％）。該噴霧乾燥物８０．５重量部と結晶性アルミノ珪酸塩（４Ａ型ゼオライト、平均粒子径２．７μｍ）２重量部とをまず混合した上で、結晶性層状珪酸塩（ＳＫＳ−６（粉末）の粉砕物、平均粒径２７μｍ）５重量部と共にハイスピードミキサー（ＦＳ−ＧＣ−１０型；深江工業（株）製）に投入して、噴霧乾燥物を破砕し攪拌造粒した。その際に上記非イオン界面活性剤２．５重量部をスプレー噴霧した。造粒終了６０秒前に上記ゼオライトを５重量部加え表面被覆を行った。次に、上記造粒物を１．４ｍｍの目開きの篩で篩分けし、篩上の粗大粒子
を
と訂正する（下線部が訂正個所）。
（５４）【発明の名称】
洗浄剤組成物
（５７）【特許請求の範囲】
　【請求項１】　界面活性剤０．１〜６０重量％と、（ａ）２５℃における蒸気圧が６．６７Ｐａ以上の香料成分と、（ｂ）２５℃における蒸気圧が０．６７Ｐａ以上６．６７Ｐａ未満の香料成分と、（ｃ）２−メチル−２，４−ジヒドロキシブタン、２−メチル−２，４−ジヒドロキシペンタン、２，４−ジヒドロキシブタ
ン及
０．１〜１
　【請求項２】　漂白基剤０．１〜８０重量％と、界面活性剤０．１〜６０重量％と、（ａ）２５℃における蒸気圧が６．６７Ｐａ以上の香料成分と、（ｂ）２５℃における蒸気圧が０．６７Ｐａ以上６．６７Ｐａ未満の香料成分と、（ｃ）２−メチル−２，４−ジヒドロキシブタン、２−メチル−２，４−ジヒドロキシペンタン、２，４−ジヒドロキシブタ
ン及
０．１〜１
【発明の詳細な説明】
　【０００１】
　【発明の属する技術分野】
　本発明は、匂い立ちの優れた洗浄剤組成物及び漂白剤組成物に関する。
　【０００２】
　【従来技術及び発明が解決しようとする課題】
　洗浄剤組成物や漂白剤組成物には、嗜好性の点から香料組成物が配合されている（特開平３−１１５３９９号公報、特開昭６０−２３４９８号公報等）。香料組成物には、香料成分の持続性を調整する目的で、ベンジルベンゾエートやジエチルフタレート等の非水溶性溶剤や保留剤が使用されている。
　【０００３】
　しかしながら、上記非水溶性溶剤や保留剤を使用すると、香料成分の持続性は良いものの、いわゆるミドルノートが抑えられる為に匂い立ちの点であまり好ましくなかった。
　【０００４】
　本発明の課題は、匂い立ちを改善した洗浄剤組成物及び漂白剤組成物の提供にある。
　【０００５】
　【課題を解決するための手段】
　本発明は、界面活性剤０．１〜６０重量％と、（ａ）２５℃における蒸気圧が６．６７Ｐａ以上の香料成分と、（ｂ）２５℃における蒸気圧が０．６７Ｐａ以上６．６７Ｐａ未満の香料成分と、（ｃ）２−メチル−２，４−ジヒドロキシブタン、２−メチル−２，４−ジヒドロキシペンタン、２，４−ジヒドロキシブタン、ジプロピレングリコール及びトリプロピレングリコールから選ばれる一種以上の化合物とを、（ｂ）成分に対する（ａ）成分の重量比で０〜６、且つ、（ａ）成分と（ｂ）成分の総和に対する（ｃ）成分の重量比で０．０１〜２の割合で含有する洗浄剤組成物を提供する。
　【０００６】
　また、本発明は、漂白基剤０．１〜８０重量％と、界面活性剤０．１〜６０重量％と、（ａ）２５℃における蒸気圧が６．６７Ｐａ以上の香料成分と、（ｂ）２５℃における蒸気圧が０．６７Ｐａ以上６．６７Ｐａ未満の香料成分と、（ｃ）２−メチル−２，４−ジヒドロキシブタン、２−メチル−２，４−ジヒドロキシペンタン、２，４−ジヒドロキシブタン、ジプロピレングリコール及びトリプロピレングリコールから選ばれる一種以上の化合物とを、（ｂ）成分に対する（ａ）成分の重量比で０〜６、且つ、（ａ）成分と（ｂ）成分の総和に対する（ｃ）成分の重量比で０．０１〜２の割合で含有する漂白剤組成物を提供する。
　【０００７】
　【発明の実施の形態】
　香料成分としては、例えば、「特許庁公報１０（１９９８）−２５〔７１５９〕周知・慣用技術集（衣料用粉末洗剤）」（日本国特許庁、平成１０年３月２６日発行）の第４２頁下第４行から第４５頁第２４行に記載の香料成分、或いは、「産業化学シリーズ　香料の化学」（日本化学会編、赤星亮一著、大日本図書株式会社、昭和５８年９月１６日発行）に記載の香料成分が知られているが、本発明は（ａ）２５℃における蒸気圧が６．６７Ｐａ以上、好ましくは２０Ｐａ以下の香料成分と、（ｂ）２５℃における蒸気圧が０．６７Ｐａ以上６．６７Ｐａ未満の香料成分を、（ｂ）成分に対する（ａ）成分の重量比で０〜６、好ましくは０〜２で含有するものである。
　【０００８】
　（ａ）成分としては、オレンジペラ、ｏ−ｔ−ブチルシクロヘキシルアセテート、ｄ−リモネン、リナロール、テトラヒドロリナロール、テトラヒドロゲラニオール、テルピネオール、ｉｓｏ−ボルニルアセテート、テトラヒドロムグオール等が挙げられる。また、（ｂ）成分としては、シトロネロール、ゲラニオール、メチルイオノン、フェニルエチルアルコール、ｐ−ｔ−ブチルシクロヘキシルアセテート、アリルシクロヘキサンプロピオネート、トリシクロデセニルプロピオネート、トリシクロデセニルアセテート、ヘキシルシンナミックアルデヒド等が挙げられる。（ａ）成分と（ｂ）成分の総和は、組成物の用途、形状等にもよるが、組成物中に０．０１〜５重量％、特に０．０１〜２重量％が好ましい。
　【０００９】
　（ｃ）成分は、２−メチル−２，４−ジヒドロキシブタン、２−メチル−２，４−ジヒドロキシペンタン、２，４−ジヒドロキシブタン、ジプロピレングリコール及びトリプロピレングリコールから選ばれる一種以上の化合物であり、保留剤としてこれらの化合物を併用することにより、香料成分の持続性、特に（ｂ）成分に由来するミドルノート、匂い立ちが改善される。この効果やテルペン系香料との相溶性の点で、特にジプロピレングリコールが好ましい。（ｃ）成分は、匂い立ちの点で、（ａ）成分と（ｂ）成分の総和に対する（ｃ）成分の重量比が０．０１〜２、好ましくは０．１〜１、特に好ましくは０．１〜０．５となるように用いられる。
　【００１０】
　本発明は、洗浄、漂白等の各種処理に用いられる組成物であって、香料が製品の嗜好性に大きく寄与するような組成物に用いることができる。
　【００１１】
＜洗浄剤組成物＞
　本発明の洗浄剤組成物は、具体的には「洗剤・洗浄の辞典」（奥山春彦、皆川基編、朝倉書店）を参考にすることができ、香料が製品の嗜好性に大きく寄与するような衣料用洗浄剤組成物等に応用することができる。
　【００１２】
　本発明の洗浄剤組成物は界面活性剤０．１〜６０重量％を含有する。界面活性剤は、陰イオン、非イオン、陽イオン、両性界面活性剤を使用できる。
　【００１３】
　陰イオン界面活性剤としては、高級アルコールの硫酸エステル塩、高級アルコールのエトキシレート化物の硫酸エステル塩、アルキルベンゼンスルホン酸塩、パラフィンスルホン酸塩、脂肪酸塩、α−オレフィンスルホン酸塩、α−スルホ脂肪酸塩、α−スルホ脂肪酸アルキルエステル塩が挙げられる。特に、アルキル鎖の炭素数が１１〜１５の直鎖アルキルベンゼンスルホン酸塩、炭素数１０〜１５の高級アルコールの硫酸エステル塩が洗浄力の点で好ましい。
　【００１４】
　非イオン界面活性剤としては、炭素数１０〜１６のアルコールのアルキレンオキシド付加物、脂肪酸アルカノールアミド、アルキルポリグリコシド等が挙げられる。特にアルキル鎖の炭素数が１０〜１６のポリオキシアルキレンアルキルエーテルが皮脂汚れに対する洗浄性、耐硬水性の点で好ましい。又、エチレンオキサイド平均付加モル数は５〜１５が好ましい。
　【００１５】
　洗浄剤組成物においては、陰イオン界面活性剤と非イオン界面活性剤の含有比は、溶解性及び洗浄力の点で、好ましくは１００／０〜４０／６０（重量比）、より好ましくは９５／５〜５０／５０、特に好ましくは９５／５〜６０／４０である。
　【００１６】
　更に本発明の洗浄剤組成物は、ビルダー２０〜６０重量％を含有することができる。例えば、結晶性アルミノ珪酸塩、非晶質アルミノ珪酸塩、結晶性珪酸塩、炭酸塩等の無機ビルダーやニトリロ三酢酸塩、エチレンジアミン四酢酸塩、酒石酸塩、クエン酸塩、アクリル酸（共）重合体等の有機ビルダーの他に、カルボキシメチルセルロース等の再汚染防止剤；酵素；亜硫酸塩等の還元剤；蛍光増白剤；シリコーン等の抑泡剤等を含有することができる。また、洗浄補助剤として漂白成分を０．１〜２０重量％配合することもできる。
　【００１７】
＜漂白剤組成物＞
　本発明の漂白剤組成物は漂白基剤０．１〜８０重量％を含有する。漂白基剤としては、過炭酸塩、過ホウ酸塩、過硫酸塩、有機過酸及び過酸化水素、並びに塩素系では次亜塩素酸塩が挙げられる。例えば衣料用にはこれらの漂白基剤のうち過炭酸ナトリウム、過ホウ酸ナトリウム、過酸化水素が好ましい。漂白基剤には漂白活性化剤を併用することにより、より優れた漂白効果を得ることができる。漂白活性化剤には金属系のものと、カルボン酸エステル又はアミド等の有機過酸を発生させるもの等が挙げられる。漂白剤組成物では、例えば、不飽和結合のない香料成分を選ぶことが好適である。更に本発明の漂白剤組成物には、前記の界面活性剤を前記の量で、前記のビルダー、その他に公知の漂白剤成分を配合することができる。
　【００１８】
　これらの組成物の形態は、粉末ないし粒状、液状、ブリケット状、タブレット状、シート状、棒状等である。また、製品化の際はそれぞれの使い勝手や安定性等を考慮した容器が使用されるが、特に光による（ａ）成分及び／又は（ｂ）成分への影響の少ない容器を選ぶことが好ましい。
　【００１９】
　【実施例】
〔Ｉ〕下記表１に示す香料Ａ〜Ｆを用いて、以下の各種組成物の匂い立ちの評価を行った。
　【００２０】
　【表１】
　【００２１】
〔ＩＩ〕組成物の調製及び評価
（１）粉末洗浄剤組成物
（１−１）粉末洗浄剤組成物Ａ
　直鎖アルキル（炭素数１０〜１３）ベンゼンスルホン酸ナトリウム２３重量部、アルキル（炭素数１２〜１６）硫酸ナトリウム５重量部、非イオン界面活性剤（ラウリルアルコールを９８％以上含有する高級アルコールのオキシエチレン平均６モル付加物）３．５重量部、石鹸（炭素数１４〜２０）４重量部、４Ａ型ゼオライト１１重量部、１号珪酸ナトリウム（Ｎａ２Ｏ／ＳｉＯ２＝２．１５）７重量部、炭酸ナトリウム（デンス灰）１０重量部、炭酸カリウム４重量部、硫酸ナトリウム６．５重量部、アクリル酸／マレイン酸共重合物（モノマー比３：７、分子量５万）５重量部と水を混合して固形分４８％の洗剤スラリーを調製した（温度６５℃）。該スラリーを向流式噴霧乾燥装置で噴霧乾燥した（揮発分６％）。該噴霧乾燥物８０．５重量部と結晶性アルミノ珪酸塩（４Ａ型ゼオライト、平均粒子径２．７μｍ）２重量部とをまず混合した上で、結晶性層状珪酸塩（ＳＫＳ−６（粉末）の粉砕物、平均粒径２７μｍ）５重量部と共にハイスピードミキサー（ＦＳ−ＧＣ−１０型；深江工業（株）製）に投入して、噴霧乾燥物を破砕し攪拌造粒した。その際に上記非イオン界面活性剤２．５重量部をスプレー噴霧した。造粒終了６０秒前に上記ゼオライトを５重量部加え表面被覆を行った。次に、上記造粒物を１．４ｍｍの目開きの篩で篩分けし、篩上の粗大粒子
を
　【００２２】
（１−２）粉末洗浄剤組成物Ｂ
　ポリオキシエチレンラウリルエーテル〔エチレンオキサイド（以下ＥＯ）平均付加モル数（以下ＥＯｐ）＝７．０〕１８重量部、パルミチン酸２重量部、ポリエチレングリコール〔Ｋ−ＰＥＧ６０００、花王（株）製〕２重量部、直鎖アルキル（炭素数１０〜１３）ベンゼンスルホン酸ナトリウム２重量部、４Ａ型ゼオライト（東ソー社製トヨビルダー）１８重量部、炭酸ナトリウム（デンス灰）１６重量部、吸油担体１４重量部、結晶性珪酸塩（ＳＫＳ−６、ヘキスト社製、粒径３０μｍ）１５重量部、亜硫酸ナトリウム１重量部、硫酸ナトリウム２重量部、ポリアクリル酸ナトリウム（平均分子量８０００）７重量部、蛍光染料〔チノパールＣＢＳ（チバガイギー社製）／ホワイテックスＳＡ（住友化学社製）＝１／１（重量比）〕１．５重量部、酵素〔サビナーゼ１２．０ＴＷ、リポラーゼ１００Ｔ、セルザイム０．１Ｔ（何れもノボノルディクス社製）の２：１：１混合物〕１．５重量部からなる粉末洗浄剤組成物（平均粒径４３５μｍ、嵩密度８７６ｇ／Ｌ）を調製した（組成物Ｂ）。ここで、吸油担体は下記の方法で得られたものである。
・吸油担体の製造
　イオン交換水に炭酸ソーダを溶解させた６重量％水溶液１３２ｇとアルミン酸ソーダ水溶液（濃度５０重量％）３８．２２ｇを反応槽に入れた。得られた混合溶液に、強攪拌下２倍の水で希釈した３号水ガラス２０１．４ｇを４０℃にて２０分間かけて滴下した後、５０℃で３０分熟成した（ｐＨ＝９．０）。得られたスラリーを濾過し、ケークを１０００倍の水で洗浄し、１０５℃／３００Ｔｏｒｒ（４０ｋＰａ）の条件下１０時間乾燥した後、解砕して平均粒径１０μｍの吸油担体を得た。
　【００２３】
（１−３）評価
　表２に示す粉末洗浄剤組成物を調製する。次いで、１００ｃｃのガラス製スクリュー管内に５０ｍｌの該組成物を充填し密閉して２０℃で１時間静置させた後、蓋を開けて３０秒後に訓練されたパネラーにより匂い立ちを評価した。その結果、本発明品１、３、５は比較品１と比較して何れも匂い立ちが良好であった。特に本発明品１は優れた匂い立ちが認められた。また、本発明品２、４は比較品２と比較して何れも匂い立ちが良好であった。
　【００２４】
　【表２】
　【００２５】
（２）液体洗浄剤組成物
　表３、４に示す成分からなる液体洗浄剤組成物Ｃ〜Ｈを調製した。表中アルファベットの次の数字の１は本発明品、２は比較品である。
　【００２６】
　【表３】
　【００２７】
　【表４】
　【００２８】
ここで、表中の化合物は以下の通りである。
・非イオン界面活性剤Ａ；炭素数１０〜１４の１級アルコールのＥＯ５モル、プロピレンオキシド２モル、ＥＯ３モル付加物（ブロック付加物）
・非イオン界面活性剤Ｂ；炭素数１０〜１４の２級アルコールのＥＯ７モル付加物、非イオン界面活性剤Ｃ；炭素数１２の１級アルコールのＥＯ８モル付加物・非イオン界面活性剤Ｄ；炭素数１２の１級アルコールのＥＯ１１．５モル付加物・非イオン界面活性剤Ｅ；炭素数１２のアルキルポリグルコシド（平均重合度１．５）
・ＬＡＳ−Ｓ剤；炭素数１０〜１３の直鎖アルキルベンゼンスルホン酸（酸型）
・ＥＳ；炭素数１２〜１４の１級アルコールのＥＯ平均３モル付加物の硫酸エステル・脂肪酸；炭素数１２、１４のヤシ油系脂肪酸・ヒドロキシスルホベタイン；ラウリルジメチル−２−ヒドロキシ−３−スルホベタイン・ＬＡＰＤＭＢ；Ｎ−ラウロイルアミノプロピル−Ｎ，Ｎ−ジメチル−Ｎ−酢酸ベタイン・Ｑ−８６；炭素数１６，１８（含有比３：７）のモノアルキルトリメチルアンモニウムクロリド・Ｑ−０８；オクチルジメチルベンジルアンモニウムクロリド・ＡＭ／ｉｓｏＢＴ共重合体；マレイン酸／ジイソブチレン（５０／５０）共重合体（平均分子量１０，０００）
・ＡＭ／ＰＮ共重合体；マレイン酸／ペンテン（５０／５０）共重合体（平均分子量１５，０００）
・ポリプロピレングリコール；平均分子量１０００・ＥＤＴＡ・４Ｎａ；エチレンジアミンテトラ酢酸４ナトリウム塩。
　【００２９】
　組成物Ｃ１（本発明品）とＣ２（比較品）、組成物Ｄ１（本発明品）とＤ２（比較品）、組成物Ｅ１（本発明品）とＥ２（比較品）、組成物Ｆ１（本発明品）とＦ２（比較品）、組成物Ｇ１（本発明品）とＧ２（比較品）、組成物Ｈ１（本発明品）Ｈ２（比較品）のそれぞれ一対の匂い立ちを前記同様に評価したところ、何れも本発明品では匂い立ちが改善されていた。
　【００３０】
（３）漂白剤組成物
　過炭酸ナトリウム６０重量％、炭酸ナトリウム（デンス灰）３０重量％、漂白活性化剤造粒物１０重量％からなる粉末漂白剤組成物を得た（組成物Ｉ）。ここで、漂白活性化剤造粒物は下記の方法で得られたものである。
・漂白活性化剤造粒物の製造ラウロイルオキシベンゼンスルホン酸ナトリウム５０重量部、ラウリル硫酸ナトリウム３０重量部及びコハク酸４重量部をハイスピードミキサー（ＦＳ−ＧＣ−１０型、深江工業（株）製）に投入し、粉体の温度が７０℃になるまで昇温した。予め７０℃で溶解したポリエチレングリコール（分子量７５００）１３重量部とポリオキシエチレンラウリルエーテル硫酸塩水溶液（有効分７０％）３重量部を添加し３０分間攪拌混合した。この混合物を押出造粒機（ペレッターダブルＥＤＸ−１００型、不二パウダル社製）により孔径０．８ｍｍのパンチングメタルスクリーンを通して押し出し造粒した。得られた押し出し物を振動冷却器（バイブロ／フロードライヤーＶＤＦ／６０００型、不二パウダル製）で冷却後、整粒機（ナイフカッターＦＬ−２００型、深江工業（株）製）にて解砕した。得られた造粒物を分級し、平均粒径９００μｍの造粒物を得た。
　【００３１】
　組成物Ｉに、表１の香料Ｃを０．１重量％、ジプロピレングリコールを０．０５重量％となる量で配合し、漂白剤組成物を得た（本発明品Ｉ）。一方、香料Ｃを０．１重量％、ジエチルフタレートを０．０５重量％となる量で配合した漂白剤組成物も調製した（比較品Ｉ）。この２つ組成物の匂い立ちについて前記同様に評価したところ、本発明品Ｉは比較品Ｉに比べて匂い立ちが顕著に改善されていた。
　【００３２】
（４）漂白剤組成物
　過酸化水素５重量％、非イオン界面活性剤（ラウリルアルコールを９８％以上含有する高級アルコールのＥＯ１０モル付加物）５重量％、ドデシルトリメチルアンモニウムメチルサルフェート１重量％、ラウロイルオキシベンゼンスルホン酸ナトリウム１重量％、キレート剤（ディクエスト２０１０、モンサント（株）製）０．５重量％、水残部を用いて液体漂白剤組成物を得た（組成物Ｊ）。
　【００３３】
　組成物Ｊに、表１の香料Ｄを０．２重量％、ジプロピレングリコールを０．１重量％となる量で配合し、漂白剤組成物を得た（本発明品Ｊ）。一方、香料Ｄを０．２重量％、ジエチルフタレートを０．１重量％となる量で配合した漂白剤組成物も調製した（比較品Ｊ）。この２つ組成物の匂い立ちについて前記同様に評価したところ、本発明品Ｊは比較品Ｊに比べて匂い立ちが顕著に改善されていた。